(57)【要約】      （修正有）【課題】簡単な構成で床ノズル及び小型ノズルの両方に被清掃面を照らす装置を有する吸込み具を提供する。【解決手段】吸込み具６は、床ノズル８と小型ノズル７とを備える。床ノズル８は吸込み口１６を有する。床ノズル８は導光体２２を有する。小型ノズル７は端部７ｂに吸込み口１４を有する。小型ノズル７はＬＥＤ１２を有する。小型ノズル７は床ノズル８の吸込み口１６より後方に端部７ｂが着脱可能である。導光体２２は入射面２２ａと出射面２２ｂとを有する。入射面２２ａはＬＥＤ１２が放った光を受ける。出射面２２ｂは入射面２２ａが受け導光体２２の内部を通過した光を放つ。入射面２２ａは小型ノズル７の端部７ｂが床ノズル８に装着されている状態においてＬＥＤ１２と対向する位置に配置される。出射面２２ｂは入射面２２ａより前方に配置される。【選択図】図６
2019024562.tif 000002
【特許請求の範囲】
【請求項１】
第一の吸込み口を有し、導光体を有する第一のノズルと、
発光体を有し、端部に第二の吸込み口を有し、前記第一のノズルの前記第一の吸込み口より後方に前記端部が着脱可能な第二のノズルと、を備え、
前記導光体は、前記発光体が放った光を受ける入射面と、前記入射面が受け前記導光体の内部を通過した光を放つ出射面とを有し、
前記入射面は、前記第二のノズルの前記端部が前記第一のノズルに装着されている状態において前記発光体と対向する位置に配置され、
前記出射面は、前記入射面より前方に配置される吸込み具。
【請求項２】
前記第二のノズルの前記端部が前記第一のノズルに装着されている状態において前記導光体の表面の一部は前記第一のノズルの外部に露出し、
前記導光体の表面の前記一部は前記出射面の少なくとも一部を形成する請求項１に記載の吸込み具。
【請求項３】
前記導光体の表面の前記一部の全体が前記出射面の少なくとも一部を形成する請求項２に記載の吸込み具。
【請求項４】
前記導光体は、表面の一部が反射体で覆われた請求項１から請求項３のいずれか一項に記載の吸込み具。
【請求項５】
前記第一の吸込み口は前記第一のノズルの下面に配置され、
前記出射面の少なくとも一部は前記第一のノズルの上面をなし、
前記出射面の左右の幅は前記第二のノズルの左右の幅より大きい請求項１から請求項４のいずれか一項に記載の吸込み具。
【請求項６】
前記第一のノズルは前記第一の吸込み口に通じる吸込み室を有し、
前記出射面の一部は前記吸込み室に露出する請求項１から請求項５のいずれか一項に記載の吸込み具。
【請求項７】
前記第一のノズルは前記発光体が放った光を反射して前記入射面に導く反射壁を有し、
前記反射壁は前記入射面を含む平面より前記発光体に近い方向に突出する請求項１から請求項６のいずれか一項に記載の吸込み具。
【請求項８】
前記発光体は光を発生する光源である請求項１から請求項７のいずれか一項に記載の吸込み具。
【請求項９】
前記第一のノズルは、前記第二のノズルの前記端部を装着するストッパーと、
前記ストッパーの装着を解除するペダルと、を有する請求項１から請求項８のいずれか一項に記載の吸込み具。
【請求項１０】
請求項１から請求項９のいずれか一項に記載の吸込み具と、
吸引風を発生する電動送風機と、
前記吸引風により前記吸込み具から吸引される塵埃を捕集する集塵部と、を備える電気掃除機。
【発明の詳細な説明】
【技術分野】
【０００１】
本発明は、吸込み具と電気掃除機とに関する。
【背景技術】
【０００２】
特許文献１に電気掃除機の例が記載されている。特許文献１に記載の電気掃除機は、被清掃面に面する吸込み具を備える。吸込み具は、第一のノズルと、第一のノズルに着脱可能な第二のノズルとを有する。第一のノズルは、床ノズルである。第二のノズルは、小型ノズルである。床ノズル及び小型ノズルは、それぞれが発光体を有する。発光体は被清掃面を照らすための装置である。小型ノズルが床ノズルに装着されている状態では、小型ノズルが有する発光体は消灯し、床ノズルが有する発光体は点灯する。小型ノズルが床ノズルから取り外されている状態では、小型ノズルが有する発光体が点灯する。
【先行技術文献】
【特許文献】
【０００３】
【特許文献１】特許第５８７９４９２号公報
【発明の概要】
【発明が解決しようとする課題】
【０００４】
しかしながら、特許文献１に記載される吸込み具では、第一のノズル及び第二のノズルがそれぞれ有する発光体の点灯及び消灯を切り替える必要がある。このため、第二のノズルの第一のノズルからの着脱の状態を検知する装置が必要であり、吸込み具が複雑な構成となるという課題があった。
【０００５】
本発明は、このような課題を解決するためになされた。本発明の目的は、簡単な構成で第一のノズル及び第二のノズルの両方に被清掃面を照らす装置を有する吸込み具を提供することである。本発明の他の目的は、そのような吸込み具を備えた電気掃除機を提供することである。
【課題を解決するための手段】
【０００６】
本発明に係る吸込み具は、第一の吸込み口を有し、導光体を有する第一のノズルと、発光体を有し、端部に第二の吸込み口を有し、第一のノズルの第一の吸込み口より後方に端部が着脱可能な第二のノズルと、を備える。導光体は、発光体が放った光を受ける入射面と、入射面が受け導光体の内部を通過した光を放つ出射面と、を有する。入射面は、第二のノズルの端部が第一のノズルに装着されている状態において発光体と対向する位置に配置される。出射面は、入射面より前方に配置される。
【０００７】
本発明に係る電気掃除機は、上記の吸込み具と、吸引風を発生する送風機と、吸引風により吸込み具から吸引される塵埃を捕集する集塵部と、を備える。
【発明の効果】
【０００８】
本発明に係る吸込み具は、第一のノズルと第二のノズルとを備える。第一のノズルは第一の吸込み口を有する。第一のノズルは導光体を有する。第二のノズルは端部に第二の吸込み口を有する。第二のノズルは発光体を有する。第二のノズルは第一のノズルの第一の吸込み口より後方に端部が着脱可能である。導光体は入射面と出射面とを有する。入射面は発光体が放った光を受ける。出射面は入射面が受け導光体の内部を通過した光を放つ。入射面は第二のノズルの端部が第一のノズルに装着されている状態において発光体と対向する位置に配置される。出射面は入射面より前方に配置される。本発明に係る吸込み具は、簡単な構成で第一のノズル及び第二のノズルの両方に被清掃面を照らす装置を有する。
【図面の簡単な説明】
【０００９】
【図１】本発明の実施の形態１に係る電気掃除機の斜視図である。
【図２】本発明の実施の形態１に係る吸込み具の小型ノズルが装着された状態の斜視図である。
【図３】本発明の実施の形態１に係る吸込み具の小型ノズルの装着が解除された状態の斜視図である。
【図４】本発明の実施の形態１に係る吸込み具の小型ノズルの斜視図である。
【図５】本発明の実施の形態１に係る吸込み具の側面図である。
【図６】本発明の実施の形態１に係る吸込み具の断面図である。
【図７】本発明の実施の形態１に係る吸込み具の、小型ノズルが装着され上ケースが外された状態の斜視図である。
【図８】本発明の実施の形態１に係る吸込み具の、小型ノズルが装着され上ケースが外された状態において、ペダルが押し下げられた状態の斜視図である。
【図９】本発明の実施の形態１に係る吸込み具の拡大した断面図である。
【図１０】本発明の実施の形態１の他の例に係る小型ノズルの斜視図である。
【図１１】本発明の実施の形態１の他の例に係る小型ノズルの断面図である。
【図１２】本発明の実施の形態１の他の例に係る吸込み具の断面図である。
【図１３】本発明の実施の形態１の他の例に係る吸込み具の背面図である。
【図１４】本発明の実施の形態１の他の例に係る床ノズルの背面図である。
【図１５】本発明の実施の形態１の他の例に係る床ノズルの拡大した背面図である。
【図１６】本発明の実施の形態１の他の例に係る吸込み具の拡大した断面図である。
【図１７】本発明の実施の形態１の他の例に係る吸込み具の斜視図である。
【図１８】本発明の実施の形態１の他の例に係る吸込み具の断面図である。
【発明を実施するための形態】
【００１０】
本発明を実施するための形態について添付の図面を参照しながら説明する。各図において、同一又は相当する部分には同一の符号を付して、重複する説明は適宜に簡略化又は省略する。なお、本発明は以下の実施の形態に限定されることなく、本発明の趣旨を逸脱しない範囲で種々変形することが可能である。
【００１１】
以下の説明においては、「塵埃」に塵、埃及びその他の電気掃除機で吸引できるごみが含まれる。
【００１２】
実施の形態１．
図１は本発明の実施の形態１に係る電気掃除機１の斜視図である。電気掃除機１は、本体２と、ホース３と、手元ハンドル体４と、パイプ５と、吸込み具６とを備える。使用者は、電気掃除機１を用いて被清掃面を清掃する。被清掃面は床、畳、絨毯及びその他の面で塵埃を除去することで清掃される面である。
【００１３】
本体２は内部に、電動送風機９と、集塵部１０とを備える。電動送風機９は、吸引風を発生させる。吸引風は被清掃面から塵埃を吸引する気流である。集塵部１０は、吸込み具６から吸引される塵埃を捕集する。集塵部１０は、袋状のフィルターによって集塵する。即ち、集塵部１０に紙パック式の集塵方法が採用される。なお、集塵部１０で塵埃を捕集する方法は特定の方法に限定されない。集塵部１０は、旋回流によって分離された塵埃を捕集しても良い。即ち、集塵部１０にサイクロン式の集塵方法が採用されても良い。
【００１４】
本体２は、側面に車輪１１ａを備える。本体２は、下面に車輪１１ｂを備える。車輪１１ｂは車輪１１ａより小さい。車輪１１ｂは、回転軸の向きが可変である。このため、本体２の向きは車輪１１ａ及び車輪１１ｂが被清掃面に接触した状態で容易に変えられる。したがって、本体２は被清掃面の上で容易に移動できる。
【００１５】
ホース３は、中空の部材である。ホース３は、蛇腹形状であり、可撓性を有する。ホース３は、端部に硬質の接続部３ａを備える。接続部３ａは、本体２に接続される。接続部３ａと本体２とは着脱が可能である。
【００１６】
手元ハンドル体４は、電気掃除機１を取り回すためのものである。手元ハンドル体４には、電気掃除機１の運転を開始する電源スイッチを備える。手元ハンドル体４の一つの端部は、ホース３に接続される。手元ハンドル体４の他の端部は、パイプ５に接続される。手元ハンドル体４とパイプ５とは着脱が可能である。手元ハンドル体４は、解除ボタン４ａを有する。解除ボタン４ａが操作されることで、手元ハンドル体４とパイプ５との接続が解除される。
【００１７】
パイプ５は、直円筒形状の中空の部材である。パイプ５は、伸縮構造を有する。パイプ５は、伸縮ボタン５ｂを端部に有する。伸縮ボタン５ｂが操作されることで、パイプ５が伸縮する。パイプ５の一つの端部は、手元ハンドル体４に接続される。パイプ５の他の端部は、吸込み具６に接続される。パイプ５と吸込み具６とは着脱が可能である。パイプ５は、解除ボタン５ａを有する。解除ボタン５ａが操作されることで、パイプ５と吸込み具６との接続が解除される。
【００１８】
吸込み具６とパイプ５とは、内部の空間が通じている。パイプ５と手元ハンドル体４とは、内部の空間が通じている。手元ハンドル体４とホース３とは、内部の空間が通じている。ホース３と本体２とは、内部の空間が通じている。
【００１９】
図２は本発明の実施の形態１に係る吸込み具６の斜視図である。被清掃面を清掃するときは、使用者は吸込み具６を進行方向Ｓに進める。本実施の形態においては、進行方向Ｓを前方とする。また、被清掃面と平行な面内で進行方向Ｓに垂直な方向Ｔを左右方向とする。吸込み具６は床ノズル８と小型ノズル７を有する。床ノズル８は本実施の形態における第一のノズルの一例である。小型ノズル７は本実施の形態における第二のノズルの一例である。小型ノズル７の端部７ｂは床ノズル８に着脱が可能である。
【００２０】
図３は本発明の実施の形態１に係る吸込み具６の斜視図である。図３は小型ノズル７が床ノズル８から取り外された状態を示す。図４は本発明の実施の形態１に係る吸込み具６の小型ノズル７の斜視図である。小型ノズル７は、端部７ｂに吸込み口１４を有する。小型ノズル７の吸込み口１４は、本実施の形態における第二の吸込み口である。吸込み口１４は、端部７ｂの端面７ｃに配置される。小型ノズル７は、吸込み口１４が配置される端面７ｃにＬＥＤ（Ｌｉｇｈｔ  Ｅｍｉｔｔｉｎｇ  Ｄｉｏｄｅ）１２を有する。ＬＥＤ１２は本実施の形態における発光体の一例である。小型ノズル７は、吸込み口１４と反対側の端部に接続部７ａを有する。小型ノズル７は、接続部７ａでパイプ５と接続される。
【００２１】
図５は、本発明の実施の形態１に係る吸込み具６の側面図である。床ノズル８が被清掃面に置かれたときに被清掃面と対向する面を床ノズル８の下面とする。床ノズル８はケース２５を有する。ケース２５は上ケース２６と下ケース２７から形成される。
【００２２】
図６は、本発明の実施の形態１に係る吸込み具６の、左右方向の中心を含む鉛直面での断面図である。床ノズル８は下面に吸込み口１６を有する。床ノズル８の吸込み口１６は、本実施の形態における第一の吸込み口である。床ノズル８は、吸込み口１６より上方に吸込み室１５を有する。吸込み室１５は吸込み口１６に通じる。吸込み室１５は床ノズル８の内部の空間である。
【００２３】
小型ノズル７の端部７ｂは、床ノズル８の吸込み口１６より後方に装着される。小型ノズル７が床ノズル８に装着されている状態では、吸込み室１５と小型ノズル７の吸込み口１４が通じる。
【００２４】
図７及び図８は、本発明の実施の形態１に係る吸込み具６の上ケース２６を外した状態の斜視図である。図７は、小型ノズル７が床ノズル８に装着されている状態を示す。小型ノズル７は、端部７ｂに保持凹部２９を有する。床ノズル８は、保持具１７を有する。保持具１７は、ペダル１８と、ストッパー１９とを有する。小型ノズル７が床ノズル８に装着されている状態では、ストッパー１９が保持凹部２９にはまっている。小型ノズル７が床ノズル８に装着されている状態では、小型ノズル７の端部７ｂが左右両側方向、下方及び前方を床ノズル８に囲まれるように配置される。保持具１７はペダル１８が押し下げられることにより傾くように構成される。図８は、保持具１７のペダル１８が押し下げられた状態を示す斜視図である。ペダル１８が押し下げられると、保持具１７が傾くことによってストッパー１９が保持凹部２９から外れる。
【００２５】
床ノズル８は駆動部２１を備える。駆動部２１は下ケース２７に支持される。駆動部２１は、モーターと、プーリーと、ベルトと、シャフトと、駆動基板とを有する。駆動部２１は、回転ブラシ２０を駆動するための部材である。モーターが駆動力を発生させる。シャフトは駆動力をプーリー及びベルトに伝達する。プーリー及びベルトは駆動力を回転ブラシに伝達する。駆動基板がモーターの駆動を制御する。なお、駆動部２１の駆動力を発生させる装置は、モーターに限定されない。例えば、吸引風により回転するエアータービンが用いられても良い。
【００２６】
床ノズル８は回転ブラシ２０を備える。回転ブラシ２０は吸込み室１５に配置される。回転ブラシ２０は、回転により被清掃面から塵埃を掻きだして清掃するための部材である。
【００２７】
図６に示すように、床ノズル８は導光体２２を有する。導光体２２は、上ケース２６に支持される。導光体２２は、透明な部材が用いられる。例えば、アクリル樹脂が導光体２２に用いられる。導光体２２は、一方向に長い棒形状である。導光体２２は、両端部と両端部の間の中間部２２ｃとを有する。導光体２２の両端部は、中間部２２ｃより断面積が大きい形状である。導光体２２は、中間部２２ｃが床ノズル８の形状に沿って弧状に曲がっていても良い。導光体２２は、入射面２２ａと出射面２２ｂとを有する。入射面２２ａは、導光体２２の一つの端部に配置される。出射面２２ｂは、導光体２２の他の端部に配置される。
【００２８】
出射面２２ｂは入射面２２ａより前方に配置される。小型ノズル７が床ノズル８に装着されている状態では、導光体２２の表面の一部が床ノズル８の外部に露出する。吸込み具６の外部に露出する導光体２２の表面は、全体が出射面２２ｂの一部を形成する。即ち、小型ノズル７が床ノズル８に装着されている状態では、導光体２２の出射面２２ｂ以外の部分は、吸込み具６の外部に露出しない。なお、床ノズル８の外部に露出する導光体２２の表面の一部が出射面２２ｂの少なくとも一部を形成するようにしてもよい。すなわち、例えば出射面２２ｂが配置される導光体２２の端部の一部など、出射面２２ｂを形成しない部分が含まれても良い。
【００２９】
出射面２２ｂの一部は、上ケース２６から吸込み具６の外部に露出する。上ケース２６から露出する出射面２２ｂの一部は前方を向く。即ち、床ノズル８を前面から見たときに出射面２２ｂが見える位置に出射面２２ｂは配置される。出射面２２ｂは床ノズル８の前面に露出してもよい。上ケース２６から露出する出射面２２ｂの一部は、導光体２２の端部の端面を形成する。出射面２２ｂの他の一部は、吸込み室１５に露出する。吸込み室１５に露出する出射面２２ｂの一部は、導光体２２の端部の側面を形成する。
【００３０】
図９は、本発明の実施の形態１に係る吸込み具６の断面図である。図９は、図６に示す断面の入射面２２ａの部分を拡大して示す。図９は、小型ノズル７が床ノズル８に装着されている状態を示す。小型ノズル７の端部７ｂが床ノズル８に装着されている状態において、小型ノズル７が有するＬＥＤ１２は、入射面２２ａに対向している。
【００３１】
続いて、本発明の実施の形態１に係る電気掃除機１の動作を説明する。使用者は、被清掃面を清掃するときに、電源スイッチを入れることにより電気掃除機１の運転を開始する。使用者が床ノズル８より広い被清掃面を清掃するときは、使用者は小型ノズル７を床ノズル８に装着して清掃する。使用者は、手元ハンドル体４を持ち吸込み具６を被清掃面の上で移動させて清掃する。
【００３２】
電気掃除機１の運転が開始されると、電動送風機９が吸引風を発生させる。吸引風は被清掃面の上から床ノズル８の吸込み口１６を通り吸込み室１５に流入する。吸引風は吸込み室１５から小型ノズルの吸込み口１４を通り、接続部７ａの内部を流れる。吸引風は、接続部７ａの内部を通り、パイプ５の内部を流れる。吸引風は、パイプ５の内部を通り、手元ハンドル体４の内部を流れる。吸引風は、手元ハンドル体４の内部を通り、ホース３の内部を流れる。吸引風は、ホース３の内部を通り、本体２に到達する。
【００３３】
被清掃面の上の塵埃は、吸引風とともに吸込み口１６から流入し、本体２の内部に到達する。塵埃を含み本体２に流入する吸引風から、集塵部１０で塵埃が捕集される。即ち、集塵部１０で吸引風から塵埃が取り除かれる。本体２の後部に開口する排気口から、吸引風から塵埃が取り除かれた空気が排出される。集塵部１０で取り除かれた塵埃は、本体２の内部に溜められる。
【００３４】
小型ノズル７を床ノズル８に装着した状態では、ＬＥＤ１２が放った光を入射面２２ａが受ける。入射面２２ａが受けた光が入射面２２ａを通して導光体２２の内部に入る。導光体２２の内部に入った光は、導光体２２の表面で反射しながら内部を通過する。導光体２２の内部を通過した光は、出射面２２ｂから導光体２２の外部に放たれる。出射面２２ｂは入射面２２ａより前方に配置されるため、前方に光が放たれる。したがって、吸込み具６の進行方向Ｓを照らすことができる。これにより、被清掃面の塵埃が見えやすくなる。
【００３５】
床ノズル８の長手方向の寸法より狭い被清掃面を清掃するときは、使用者は小型ノズル７を床ノズル８から取り外す。床ノズル８から小型ノズル７が取り外されている状態では、吸引風は塵埃とともに被清掃面から吸込み口１４を通り接続部７ａの内部を流れる。接続部７ａの内部を流れる吸引風は、本体２まで到達する。塵埃を含み本体２に到達した吸引風から、集塵部１０で塵埃が捕集される。
【００３６】
小型ノズル７が床ノズル８から取り外されていることで、床ノズル８の長手方向の寸法より狭い被清掃面の清掃も容易になる。また、小型ノズル７の端面７ｃにはＬＥＤ１２が配置されているので、被清掃面を照らすことができる。これにより、被清掃面の塵埃が見えやすくなる。
【００３７】
小型ノズル７が床ノズル８から取り外されている状態では、ＬＥＤ１２で被清掃面を直接照らすことができる。小型ノズル７が床ノズル８に装着されている状態では、ＬＥＤ１２で導光体２２を通して被清掃面を照らすことができる。即ち、いずれの状態においてもＬＥＤ１２で被清掃面を照らすことができる。したがって、簡単な構成で床ノズル８及び小型ノズル７の両方に被清掃面を照らす装置を設けることができる。
【００３８】
小型ノズル７の床ノズル８からの着脱の状態に依らずＬＥＤ１２で被清掃面を照らすことができるので、小型ノズル７の床ノズル８からの着脱を検知してＬＥＤ１２の点灯と消灯とを切り替える必要がない。このため、小型ノズル７の床ノズル８からの着脱の状態を検知するための部品を必要としない。これによって、吸込み具６の組み立て部品点数及び工程数の増加を抑制できる。また、吸込み具６の重量が増加することを抑制できる。
【００３９】
小型ノズル７が床ノズル８に装着されている状態では、導光体２２の出射面２２ｂ以外の部分は、吸込み具６の外部に露出していない。このため、導光体２２の出射面２２ｂ以外の部分から漏れる光が、被清掃面を照らすことがない。吸込み具６からの被清掃面を照らす光が出射面２２ｂから放たれる光に限られることで、塵埃の影がより明確に現れる。したがって、塵埃が見えやすくなる。
【００４０】
導光体２２の端部が中間部２２ｃより断面積が大きい形状であることで、入射面２２ａ及び出射面２２ｂが広くなる。入射面２２ａが広くなることで、ＬＥＤ１２から入射面２２ａを臨む立体角が大きくなる。即ち、導光体２２に入射する光が多くなる。したがって、より効率よく被清掃面を照らすことができる。出射面２２ｂが広くなることで、照らすことができる被清掃面が広くなる。入射面２２ａ及び出射面２２ｂが配置される面は、導光体２２の端面に限定されない。入射面２２ａ及び出射面２２ｂは、導光体２２の側面に配置されてもよい。
【００４１】
導光体２２の出射面２２ｂの一部は、吸込み室１５に露出している。吸込み室１５は、被清掃面と対向する吸込み口１６と通じる空間である。したがって、出射面２２ｂから放たれた光で、塵埃を吸引する吸込み口１６から被清掃面を照らすことができる。このため、吸引する塵埃が見えやすくなる。
【００４２】
吸込み室１５の内部には、出射面２２ｂから放たれた光を反射する反射体を設けても良い。これにより、出射面２２ｂから放たれた光が吸込み室１５の内壁に吸収されることを抑制できる。したがって、効率よく被清掃面を照らすことができる。反射体として、可視光を反射する反射体のシートを貼り付けても良い。
【００４３】
小型ノズル７の吸込み口１４が配置される端面７ｃは、その表面上を吸引風が流れる。ＬＥＤ１２が小型ノズル７の端面７ｃに設けられることにより、ＬＥＤ１２に付着した塵埃が吸引風により除去される。これにより、ＬＥＤ１２から放たれる光が塵埃により遮られることを抑制する。したがって、被清掃面をより効率よく照らすことができる。なお、設計上の条件又はその他の制約により、ＬＥＤ１２は小型ノズル７の端面７ｃに配置されなくても良い。小型ノズル７の端部７ｂの側面にＬＥＤ１２が配置されても良い。
【００４４】
本実施の形態においては、保持具１７のペダル１８によりストッパー１９の装着が解除される。小型ノズル７が床ノズル８に装着されている状態では、ストッパー１９が保持凹部２９にはまっている。小型ノズル７の端部７ｂが床ノズル８に装着されている状態では、小型ノズル７は左右両側方向、下方及び前方が床ノズル８に囲まれるように配置される。ストッパー１９が保持凹部２９にはまることで、小型ノズルの上下方向及び前後方向への動きが制限される。これにより、小型ノズル７が床ノズル８に保持される。即ち、小型ノズル７が床ノズル８に装着される。
【００４５】
立った状態で清掃する作業を行う使用者は、ペダル１８を足で踏むことで押し下げることができる。ペダル１８が押し下げられると、ストッパー１９が保持凹部２９から外れる。ペダル１８が押し下げられた状態では、小型ノズル７を上方に持ち上げる動きは制限されない。したがって、ペダル１８を足で踏み小型ノズル７を上方に持ち上げることで、小型ノズル７を床ノズル８から取り外すことができる。
【００４６】
小型ノズル７を床ノズル８に装着するときは、使用者はストッパー１９の上方から小型ノズル７を乗せて押し付ける。ストッパー１９が上方から押し付けられることにより、保持具１７が図８の状態と逆方向に傾き、ストッパー１９は保持凹部２９にはまり込む。これにより、小型ノズル７が床ノズル８に装着されている状態となる。
【００４７】
以上の小型ノズル７を床ノズル８から着脱する操作を、使用者は立った状態のまま行うことができる。即ち、小型ノズル７を床ノズル８から着脱する作業のために屈む必要がなく、使用者が清掃するときの負担が低減できる。
【００４８】
図１０は、本発明の実施の形態１の他の例に係る小型ノズル７の斜視図である。図１１は、図１０に示す小型ノズル７の、左右方向の中心を通る鉛直面での断面図である。小型ノズル７は端面７ｃに凹部１３を有する。ＬＥＤ１２は、凹部１３に配置される。ＬＥＤ１２が凹部１３に配置されることで、ＬＥＤ１２は端面７ｃから突出しない。これにより、小型ノズル７が床ノズル８から取り外された状態で被清掃面を清掃するときに、ＬＥＤ１２が家具等に衝突することが抑制される。したがって、清掃のときにＬＥＤ１２が傷つくことを抑制できる。なお、ＬＥＤ１２から放たれた光を効率よく利用するため、凹部１３の表面に可視光を反射する反射体のシートを配置しても良い。
【００４９】
図１２は、本発明の実施の形態１の他の例に係る吸込み具６の左右方向の中心を通る鉛直面での断面図である。出射面２２ｂは、上ケース２６から吸込み具６の外部に露出する。上ケース２６から露出する出射面２２ｂは前方を向く。床ノズル８に、導光体２２の周囲を覆うように遮蔽体２４が設けられる。遮蔽体２４は導光体２２の中間部２２ｃの側面に対向するように配置される。
【００５０】
小型ノズル７が床ノズル８に装着されている状態では、導光体２２の表面の一部が吸込み具６の外部に露出する。吸込み具６の外部に露出する導光体２２の表面は、全体が出射面２２ｂの全部を形成する。即ち、小型ノズル７が床ノズル８に装着されている状態では、導光体２２の出射面２２ｂ以外の部分は、吸込み具６の外部に露出しない。また、遮蔽体２４に覆われることで、導光体２２の中間部２２ｃは吸込み室１５にも露出しない。このため、導光体２２の出射面２２ｂ以外から漏れる光が、被清掃面を照らすことがない。吸込み具６からの被清掃面を照らす光が出射面２２ｂから放たれる光に限られることで、塵埃の影がより明確に現れる。したがって、塵埃が見えやすくなる。
【００５１】
さらに、遮蔽体２４は、導光体２２と対向する表面に反射加工が施される。遮蔽体２４の表面の反射加工は、例えば可視光を反射する反射体のシートを貼り付けるものでも良い。これにより、導光体２２の表面から漏れた光を遮蔽体２４の表面が反射させて導光体２２の内部に戻すことができる。このため、光が出射面２２ｂ以外から導光体２２の外部に漏れず無駄にならない。したがって、効率よく被清掃面を照らすことができ、塵埃が見えやすくなる。
【００５２】
図１３は、本発明の実施の形態１の他の例に係る吸込み具６の背面図である。図１４は、図１３に示す吸込み具６の床ノズル８の背面図である。図１５は、図１４に示す床ノズル８の拡大した背面図である。図１６は、図１３に示す吸込み具６の拡大した断面図である。床ノズル８はＬＥＤ１２が放った光を反射して入射面２２ａに導く反射壁２３を有する。反射壁２３は入射面２２ａを含む平面ＰよりＬＥＤ１２に近い方向に突出する。反射壁２３は入射面２２ａの周囲に配置される。反射壁２３の表面は可視光を反射する。反射壁２３の表面に、可視光を反射する反射体のシートが配置されても良い。
【００５３】
反射壁２３は入射面２２ａの周囲に配置され、ＬＥＤ１２に近い方向に突出している。このため、ＬＥＤ１２が放つ光で且つ入射面２２ａに直接入射しない光の一部は反射壁２３に入射する。反射壁２３に入射した光は反射して、一部が入射面２２ａに導かれる。したがって、ＬＥＤ１２が放った光が被清掃面を照らすことに有効に利用される。
【００５４】
図１７は本発明の実施の形態１の他の例に係る吸込み具６の斜視図である。図１８は図１７に示す吸込み具６の左右方向の中心を通る鉛直面での断面図である。床ノズル８の左右の幅は小型ノズル７の左右の幅より大きい。上ケース２６は上蓋２８を有する。
【００５５】
図１７及び図１８に示す上蓋２８は導光体の一例である。上蓋２８は透明部材で形成される。たとえば、アクリル樹脂が上蓋２８に用いられる。上蓋２８は床ノズル８の上面の一部をなす。上蓋２８の左右の幅は小型ノズル７の左右の幅より大きい。上蓋２８は上面に出射面２２ｂを有する。出射面２２ｂの左右の幅は小型ノズル７の左右の幅より大きい。小型ノズル７が床ノズル８に装着されている状態において、ＬＥＤ１２と対向する位置に上蓋２８は入射面２２ａを有する。
【００５６】
吸込み具６の外部に露出している上蓋２８の上面の全部が出射面２２ｂの一部を形成してもよい。出射面２２ｂの他の一部は、例えば吸込み室１５に露出していても良い。吸込み具６の外部に露出している上蓋２８の上面の全部又は一部が出射面２２ｂの全部を形成してもよい。
【００５７】
床ノズル８の上面が出射面２２ｂを形成するので、吸込み具６の上方を含む周辺を照らすことが可能となる。また、出射面２２ｂの左右の幅が小型ノズル７の左右の幅より大きいので、小型ノズル７が床ノズル８に装着されている状態において、小型ノズル７が取り外されている状態より広い範囲に出射面２２ｂから光が放たれる。これにより、被清掃面のみならず吸込み具６の周辺の塵埃が見えやすくなる。したがって、例えば家具の下など狭い隙間を清掃するときに作業がしやすくなる。
【００５８】
また、吸込み具６の上方の空気中に浮遊している塵埃を吸い込むための吸込み口を吸込み具６は上面に有しても良い。吸込み具６の上方を含む周辺を照らすことにより、吸込み具６の上方の空気中に浮遊している塵埃が見えやすくなる。これにより、空気中に浮遊している塵埃の状況も確認しながら清掃することができる。
【００５９】
本発明の実施の形態においては、導光体２２の表面の少なくとも一部に可視光を反射する反射体のシートを貼り付けても良い。導光体２２の内部を反射して通過する光が導光体２２から漏れたときに、反射体のシートが光を反射して導光体２２の内部に戻すことができる。このため、導光体２２の内部を通過する光が出射面２２ｂ以外から外部に漏れず無駄にならない。したがって、効率よく被清掃面を照らすことができ、塵埃が見えやすくなる。
【００６０】
可視光を反射する反射体のシートは、例えばアルミ又は銀等の金属を蒸着したポリエチレンを基材とするシートが用いられる。蒸着の代わりに薄膜積層によってシートは形成されても良い。基材にポリエチレンテレフタレートが用いられても良い。
【００６１】
導光体２２は、入射面２２ａから出射面２２ｂまで効率よく光が導かれるように材質又は形状が選択される。導光体２２の表面に導光体２２と屈折率の異なる材料を配置しても良い。屈折率の異なる複数の材料を組み合わせて一つの導光体２２を形成しても良い。
【００６２】
発光体は、自ら光を発生する光源に限定されない。例えば、第二のノズルの端部以外に自ら光を発生する光源を配置する。アクリル樹脂からなる棒状の導光体を第二のノズルに設ける。棒状のアクリル樹脂の一つの端部が光源に対向する。この場合において、アクリル樹脂の他の端部を第二のノズルが有する発光体としてもよい。これにより、光源の配置に自由度を持たせることができる。また、例えばアクリル樹脂からなる導光体を有する延長パイプを用いることで、着脱を検知するための部品を追加することなく発光体を有する吸込み具を延長することができる。
【００６３】
発光体に、自ら光を発生する光源を用いても良い。光源は、例えばＬＥＤ又は電球が用いられる。発光体に光源を直接用いない場合、例えばアクリル樹脂からなる導光体の一端に光源を対向させ、アクリル樹脂の内部に光を通過させることで、アクリル樹脂の他の端部を発光体として用いることができる。この場合に、アクリル樹脂を通過する光は、反射、吸収又は散乱等による損失がある。これに対して、発光体に自ら光を発生する光源を直接用いると、光源からの光を直接利用することができる。したがって、効率よく被清掃面を照らすことができる。
【００６４】
本発明の実施の形態に係る吸込み具は、発光体及び導光体の組を複数備えても良い。複数の発光体及び導光体の組を備えることで、被清掃面の複数の領域を照らすことができる。照らされる被清掃面の複数の領域に応じて、発光体及び導光体を個別に選定できる。また、一つの導光体が複数の入射面を有してもよい。複数の入射面のそれぞれに対向する複数の発光体を吸込み具は備えても良い。発光体が複数用いられることで、より強い光で被清掃面を照らすことができる。複数の発光体は、ＬＥＤ又は電球であっても良い。また、複数の発光体はＬＥＤと電球とを組み合わせたものであっても良い。
【００６５】
以上、第一のノズルが床ノズル８であり、第二のノズルが小型ノズル７である例を用いて説明を行ったが、本発明の実施の形態はこれに限定されない。
【００６６】
手元ハンドル体４が第二のノズルを形成しても良い。即ち、手元ハンドル体４は、パイプ５が取り外された状態で、吸込み具として用いられても良い。手元ハンドル体４は、パイプ５が接続される側の端部に、吸込みブラシを備える。パイプ５を取り外した状態で、手元ハンドル体４の端部を吸込み具として被清掃面を清掃できる。使用者の手元に近い位置で清掃をすることができるため、使用者は吸込み具の取り回しを容易にできる。発光体は手元ハンドル体４の、パイプ５が接続される端部に配置される。
【００６７】
第一のノズルは、先端が窄んだ形状に構成された吸込み具であっても良い。先端が窄んだ形状であることで狭い隙間にも挿入できる。したがって、狭い部分の塵埃を容易に吸い込むことが可能になる。また、第一のノズルは、吸込み口の周囲に線状部材が植毛された吸込み具であってもよい。先端が窄んだ形状に構成された吸込み具又は吸込み口の周囲に線状部材が植毛された吸込み具を用いることにより、家具の間及び窓枠などの狭い場所を清掃する際に被清掃面が見えやすくなる。
【００６８】
導光体には、光ファイバーを用いても良い。導光体に光ファイバーを用いることで、第一のノズルが変形できる。例えば、第一のノズルに角度が可変な関節部を設けることができる。また、隙間の形に応じて変形が可能なホース状の吸込み具を第一のノズルとすることができる。
【符号の説明】
【００６９】
１  電気掃除機  ２  本体  ３  ホース  ３ａ  接続部  ４  手元ハンドル体  ４ａ  解除ボタン  ５  パイプ  ５ａ  解除ボタン  ５ｂ  伸縮ボタン  ６  吸込み具  ７  小型ノズル  ７ａ  接続部  ７ｂ  端部  ７ｃ  端面  ８  床ノズル  ９  電動送風機  １０  集塵部  １１ａ  車輪  １１ｂ  車輪  １２  ＬＥＤ  １３  凹部  １４  吸込み口  １５  吸込み室  １６  吸込み口  １７  保持具  １８  ペダル  １９  ストッパー  ２０  回転ブラシ  ２１  駆動部  ２２  導光体  ２２ａ  入射面  ２２ｂ  出射面  ２２ｃ  中間部  ２３  反射壁  ２４  遮蔽体  ２５  ケース  ２６  上ケース  ２７  下ケース  ２８  上蓋  ２９  保持凹部
【図１】
2019024562.tif 000003
【図２】
2019024562.tif 000004
【図３】
2019024562.tif 000005
【図４】
2019024562.tif 000006
【図５】
2019024562.tif 000007
【図６】
2019024562.tif 000008
【図７】
2019024562.tif 000009
【図８】
2019024562.tif 000010
【図９】
2019024562.tif 000011
【図１０】
2019024562.tif 000012
【図１１】
2019024562.tif 000013
【図１２】
2019024562.tif 000014
【図１３】
2019024562.tif 000015
【図１４】
2019024562.tif 000016
【図１５】
2019024562.tif 000017
【図１６】
2019024562.tif 000018
【図１７】
2019024562.tif 000019
【図１８】
2019024562.tif 000020